(57)【特許請求の範囲】
【請求項１】
座部電極を設けた座板と、頭部電極を設けた背板と、前記座板の下方に取り付けられ、コイルに交番電流を流す座部電極用の高圧トランスと、コイルに交番電流を流す頭部電極用の高圧トランスとを備えた治療用椅子を床面に載置する電位治療器の漏洩磁束軽減方法であって、前記夫々の高圧トランスは、前記床面に対し垂直である平面の設置面上に、近接して配置され、前記設置面上における前記夫々の高圧トランスの配置については、前記コイル巻回の前記座部電極用の高圧トランスの中心鉄心と、前記コイル巻回の前記頭部電極用の高圧トランスの中心鉄心とは、その長さ方向におけるそれらの軸が平行で対向する並列関係にあるとし、前記夫々の中心鉄心は、その長さ方向にて前記設置面に対し垂直であるとし、前記座部電極用の高圧トランスの中心鉄心と、前記頭部電極用の高圧トランスの中心鉄心との極性については、前記夫々の中心鉄心の長さ方向にて磁化の方向が互いに逆であるようにすることにより、前記夫々の高圧トランスから発生して前記座板の上方に至る漏洩磁束を互いに打ち消し合うようにし、これによって前記座板の上方での合成漏洩磁束を軽減することを特徴とする電位治療器の漏洩磁束軽減方法。
【発明の詳細な説明】
【０００１】
【産業上の利用分野】
近年、高圧送電線より発生する交番磁界が小児癌の発生に関係するという疫学調査の発表を機に、電位治療器より発生する交番磁界が人体に悪影響を及ぼすかどうかの論議が盛んである。本発明はこのことに鑑み、電位治療器の漏洩磁束の可及的軽減を計った電位治療器の漏洩磁束軽減方法に関するものである。
【０００２】
【従来の技術】
電位治療器から発生する漏洩磁束の主たるものは高圧トランスによるものである。すなわち高圧トランスは鉄心にコイルを巻回し、コイルに交番電流を通電することで交番磁束を発生させ他のコイルに所要の電圧を誘起させるものであるが、前記交番磁束の一部が高圧トランスから漏れて漏洩磁束となる。以下、図により説明する。
【０００３】
図５（ａ），（ｂ）は、高圧トランスを２個備えた電位治療器の一例を示す側面図と正面図である。この図において、１は治療用椅子全体を示し、２は座板、３は背板であり、座板２の下方には座部電極用の高圧トランス４と頭部電極用の高圧トランス５が配設されており、高圧トランス４の出力は座板２に絶縁して設けた座部電極６に絶縁リード線７を介して接続され、高圧トランス５の出力は背板３に絶縁して設けた頭部電極８に絶縁リード線９を介して接続される。１０はコントローラで、電源のオン，オフ出力電圧の切り替えを行ったり、タイマ時間の設定等を行う。図５の（ｂ）ではコントローラ１０の蓋板を少し開けた状態を示している。
【０００４】
このように構成された従来の電位治療器は、治療用椅子１に腰掛けた人に座部電極６ならびに頭部電極８から発生した電界が作用し治療が行われる。これまで高圧トランス４，５から発生する漏洩磁束は図６の内鉄形、図７（ａ），（ｂ）の外鉄形のいずれでもコイルＢが巻線されている鉄心Ａから漏れている。なお、図５では外鉄形のトランスを用いた例で、各高圧トランス４，５はコイルＢを巻回してある中心鉄心の長さ方向が設置面に対して垂直となっている。すなわち、図７（ａ）の状態である。以下、この設置状態を縦置きと称することにする。
【０００５】
図７（ｂ）は、図７（ａ）の状態から９０°回した状態であり、以下この設置状態を横置きと称する。図６の内鉄形のトランスの場合も、横置きはあるが図示は省略してある。
【０００６】
従来の漏洩磁束の防止対策として従来とられていた方法は、（イ）トランス鉄心材料としてより高い透磁率のものにする、（ロ）鉄心の継ぎ目を溶接してエアギャップがないようにする、（ハ）磁性材料でトランス全体を包み磁気シールドする、（ニ）トランスの１次巻線の巻数を多くして励磁電流を減少させる等であった。
【０００７】
【発明が解決しようとする課題】
従来の漏洩磁束の防止対策（イ）〜（ニ）等は、漏洩磁束が他の機器に悪い影響（例えば、ノイズの発生）を与えないようにとの観点からなされており、したがって人体への影響を防止する観点からみると不十分であった。それに（ハ），（ニ）のような対策では全体が大型になってしまう等、満足すべきものではなかった。
【０００８】
本発明は上記の問題点を解決するためになされたもので、２個以上の高圧トランスを備えた電位治療器において、コストをかけることなく簡単に漏洩磁束の発生を防止できるようにした電位治療器の漏洩磁束軽減方法を提供することを目的とする。
【０００９】
【課題を解決するための手段】
本発明にかかる電位治療器の漏洩磁束軽減方法は、座部電極を設けた座板と、頭部電極を設けた背板と、前記座板の下方に取り付けられ、コイルに交番電流を流す座部電極用の高圧トランスと、コイルに交番電流を流す頭部電極用の高圧トランスとを備えた治療用椅子を床面に載置する電位治療器の漏洩磁束軽減方法であって、前記夫々のトランスは、前記床面に対し垂直である平面の設置面上に、近接して配置され、前記設置面上における前記夫々の高圧トランスの配置については、前記コイル巻回の前記座部電極用の高圧トランスの中心鉄心と、前記コイル巻回の前記頭部電極用の高圧トランスの中心鉄心とは、その長さ方向におけるそれらの軸が平行で対向する並列関係にあるとし、前記夫々の中心鉄心は、その長さ方向にて前記設置面に対し垂直であるとし、前記座部電極用の高圧トランスの中心鉄心と、前記頭部電極用の高圧トランスの中心鉄心との極性については、前記夫々の中心鉄心の長さ方向にて磁化の方向が互いに逆であるようにすることにより、前記夫々の高圧トランスから発生して前記座板の上方に至る漏洩磁束を互いに打ち消し合うようにし、これによって前記座板の上方での合成漏洩磁束を軽減するようにするものである。
【００１０】
【作用】
本発明によれば、各高圧トランスからでた漏洩磁束が互いに極性が異なっており、かつ、対向しているので互いに打ち消し合うため、座板上方にて漏洩磁束を最小にすることができる。
【００１１】
【実施例】
図１は、本発明の一実施例を示すもので、各部の符号は図５と同じものを示している。図５の従来例と相違する点は、両高圧トランス４，５を近接させ、かつ横置きとし、両高圧トランス４，５の発生磁束の極性が互いに逆相になるようにトランスの極性を設定する点である。
【００１２】
両高圧トランス４，５を互いに逆相に設定する方法を図２，図３に示す。これらの図においてＲ４，Ｒ５は人体保護用の高インピーダンス素子、Ｐはコイルの巻始めを示し、その他は図１に示すものと同じである。
【００１３】
図２の方法は、高圧トランス４と５の１次コイルを逆巻きにしたものであり、図３の方法は、ＡＣ１００Ｖの電源に対し高圧トランス４，５の１次コイルの接続を逆相に接続したものであり、図２，図３のいずれの場合も漏洩磁束の極性は互いに逆相となる。
【００１４】
次に、図４により高圧トランス４，５から発生する磁束が打ち消されることを説明する。
【００１５】
図４（ａ）は、図１（ｂ）の高圧トランス４，５の詳細を示し、図４（ｂ）は図４（ａ）の平面図を示す。図４（ｂ）のφ4 は高圧トランス４から発生する漏洩磁束を示し、φ5 は高圧トランス５から発生する漏洩磁束を示す。図４（ｂ）に示されるように漏洩磁束φ4 とφ5 は図２または図３に示す方法によって互いに打ち消す向きとなっている。実験の結果によれば座板２の表面の中心と背板３寄りの３点の各点において従来の８．５〜１６ｍＧ（ミリガウス）から０．８〜１．２ｍＧに減少したことが確認された。
【００１６】
なお、高圧トランスの数は２個に限定されない。
【００１７】
【発明の効果】
本発明は以上説明したように、座部電極を設けた座板と、頭部電極を設けた背板と、前記座板の下方に取り付けられ、コイルに交番電流を流す座部電極用のトランスと、コイルに交番電流を流す頭部電極用の高圧トランスとを備えた治療用椅子を床面に載置する電位治療器の漏洩磁束軽減方法であって、前記夫々の高圧トランスは、前記床面に対し垂直である平面の設置面上に、近接して配置され、前記設置面上における前記夫々の高圧トランスの配置については、前記コイル巻回の前記座部電極用の高圧トランスの中心鉄心と、前記コイル巻回の前記頭部電極用の高圧トランスの中心鉄心とは、その長さ方向におけるそれらの軸が平行で対向する並列関係にあるとし、前記夫々の中心鉄心は、その長さ方向にて前記設置面に対し垂直であるとし、前記座部電極用の高圧トランスの中心鉄心と、前記頭部電極用の高圧トランスの中心鉄心との極性については、前記夫々の中心鉄心の長さ方向にて磁化の方向が互いに逆であるようにすることにより、前記夫々の高圧トランスから発生して前記座板の上方に至る漏洩磁束を互いに打ち消し合うようにし、これによって前記座板の上方での合成漏洩磁束を軽減するので、コストがかからず、かつ大型化することなく、座板上方での漏洩磁束を著しく低減できる。
【図面の簡単な説明】
【図１】本発明を適用した電位治療器の一実施例を示す側面図と正面図である。
【図２】図１の実施例における２つの高圧トランスを互いに逆相に接続する方法を示す結線図である。
【図３】図１の実施例における２つの高圧トランスを互いに逆相に接続する方法を示す結線図である。
【図４】本発明により漏洩磁束が減少する原理を説明する図である。
【図５】従来の電位治療器の一例を示す側面図と正面図である。
【図６】内鉄形のトランスの説明図である。
【図７】外鉄形のトランスの説明図である。
【符号の説明】
１  治療用椅子
２  座板
３  背板
４  座部電極用の高圧トランス
５  頭部電極用の高圧トランス
６  座部電極
７  絶縁リード線
８  頭部電極
９  絶縁リード線
１０  コントローラ
Ａ  鉄心
Ｂ  コイル
Ｐ  コイルの巻始め
【図１】
0003539811.tif 000002
【図２】
0003539811.tif 000003
【図３】
0003539811.tif 000004
【図４】
0003539811.tif 000005
【図５】
0003539811.tif 000006
【図６】
0003539811.tif 000007
【図７】
0003539811.tif 000008